【事件の表示】
　特願２００９−１９７３４７「入力装置」拒絶査定不服審判事件〔平成２３年　３月１０日出願公開、特開２０１１−　４８６８６〕について、次のとおり審決する。
【結　論】
　本件審判の請求は、成り立たない。
【理　由】
第１　手続きの経緯・本願発明
　本願は、平成２１年８月２７日を出願日とする出願であり、平成２２年６月１８日付けで拒絶査定がなされ、それに対して同年９月２２日に拒絶査定不服の審判請求がなされるとともに、同日付けで手続補正書が提出されたものである。
　　　
第２　補正却下の決定
　平成２２年９月２２日に提出された手続補正書による補正の却下の決定
　　
（１）［補正却下の決定の結論］
　平成２２年９月２２日に提出された手続補正書による補正（以下、「本件補正」という。）を却下する。
　　
（２）［補正却下の決定の理由］
（ａ）補正の内容
　本件補正によると、少なくとも、その特許請求の範囲の請求項１は、
「入力を受け付けるタッチセンサと、
　前記タッチセンサのタッチ面に対する押圧荷重を検出する荷重検出部と、
　スライドバーを表示する表示部と、
　前記タッチ面を振動させる触感呈示部と、
　前記荷重検出部が所定の荷重基準を満たす押圧荷重を検出している状態での前記タッチセンサからの位置情報に基づいて移動する前記スライドバーのノブにおいて、前記ノブの前記所定の荷重基準を満たす状態で移動している位置に応じて、前記タッチ面を押圧している押圧対象に対して触感を呈示するように前記触感呈示部を制御する制御部と、
　を備えることを特徴とする入力装置。」
と補正されている。　
　　　
　上記補正は、本件補正前の請求項１に記載した発明を特定するために必要な事項である「前記荷重検出部が所定の荷重基準を満たす押圧荷重を検出している状態で、前記タッチセンサからの位置情報に基づいて移動する前記スライドバーのノブの位置に応じて」を、「前記荷重検出部が所定の荷重基準を満たす押圧荷重を検出している状態での前記タッチセンサからの位置情報に基づいて移動する前記スライドバーのノブにおいて、前記ノブの前記所定の荷重基準を満たす状態で移動している位置に応じて」とするものであり、本件補正は、特許法第１７条の２第４項第２号に規定する特許請求の範囲の減縮を目的とするものに該当するといえる。
　そこで、本件補正後の前記請求項１に記載された発明（以下、「本願補正発明」という。）が、特許出願の際独立して特許を受けることができるものであるか（特許法第１７条の２第６項において準用する同法第１２６条第５項の規定に適合するか）否かについて以下検討する。
　
（ｂ）引用例
　原査定の拒絶の理由に引用された特開２００２−１４９３１２号公報（以下、「引用例」という。）には、図面とともに次の記載がある。
（ア）「【００５８】［Ａ．第１実施形態］
［Ａ−１．第１実施形態の構成］図１は、本発明の第１実施形態に係るＰＤＡ１０の外観を例示する斜視図である。同図において、本体ケース１０１の開口部に臨む液晶表示パネル１０３ａの表示画面上には、透明のタッチパネル１０２が重ねられている。ユーザは、このタッチパネル１０２に指先でタッチすることにより、ＰＤＡ１０に対する操作指令を入力する。なお、タッチパネル１０２に対するタッチ操作は、ペンなどの操作具を用いる形態であってもよい。また、本体ケース１０１の上面には、主電源のＯＮ／ＯＦＦ操作など、ＰＤＡ１０に操作指令を入力するための押下式の操作キー１０４ａ，１０４ｂ，１０４ｃが設けられている。
【００５９】次に、図２は、図１に示したＰＤＡ１０のハードウェア構成を例示するブロック図である。同図に示すように、ＰＤＡ１０は、タッチパネル１０２、表示部１０３、キー入力部１１１、メモリ１１２、ＣＰＵ（Central Processing Unit）１１３、駆動信号生成回路１１４および振動アクチュエータ１１５を有する。
【００６０】タッチパネル１０２は、タッチ操作に応じてタッチパネル１０２上のタッチ位置を示す信号（以下、タッチ信号と述べる）をＣＰＵ１１３に出力する。また、表示部１０３は、液晶表示パネル１０３ａと、この液晶表示パネル１０３ａの表示制御を行う駆動回路とを有する。キー入力部１１１は、ユーザによる操作キー１０４ａ〜１０４ｃの押下操作に応じたキー操作信号をＣＰＵ１１３に出力する。メモリ１１２には、ＰＤＡ１０を制御するためのプログラムやデータなどが格納されている。また、このメモリ１１２には、振動アクチュエータ１１５を駆動するための駆動信号の波形データが格納されている。
【００６１】ＣＰＵ１１３は、メモリ１１２に格納されているプログラムを実行することによりバス１１６を介して接続されている装置各部を制御する。このＣＰＵ１１３は、振動制御処理１（図５参照）を実行し、タッチパネル１０２や操作キー１０４ａ〜１０４ｃからの操作入力を検知した場合に、駆動信号生成回路１１４を介して振動アクチュエータ１１５を駆動してタッチパネル１０２や操作キー１０４ａ〜１０４ｃを振動させる。
【００６２】駆動信号生成回路１１４は、ＣＰＵ１１３から供給される波形データに従って振動アクチュエータ１１５を駆動するための駆動信号を生成する。また、この駆動信号生成回路１１４は、ＣＰＵ１１３からの指示に従って振動アクチュエータ１１５に駆動信号を印加する。
【００６３】振動アクチュエータ１１５は、永久磁石を可動錘（錘体）として用いており、電磁力により可動錘に直線的な往復運動を行わせて振動を発生させる、いわゆる永久磁石可動型のリニア振動アクチュエータ（Linear Oscillatory Actuator）である。この振動アクチュエータ１１５は、駆動信号生成回路１１４から印加される駆動信号によって駆動され、振動を発生する。
【００６４】図３は、ＰＤＡ１０の本体ケース１０１内における振動アクチュエータ１１５の設置状態を模式的に例示する断面図である。同図に示すように、振動アクチュエータ１１５のケース１１５ａ上面は、液晶表示パネル１０３ａと操作キー１０４ａ〜１０４ｃとに接している。また、振動アクチュエータ１１５のケース１１５ａ内部には、ケース１１５ａ上面に固定された円筒状のコイル１２１と、永久磁石により形成された、コイル１２１が収まる円環状の隙間を有する円柱状の可動錘１２２と、可動錘１２２を支持するスプリング１２３と、が設けられている。
・・・（中略）・・・
【００６７】可動錘１２２は、コイル１２１に対して交流電流（駆動信号）が印加されると、このコイル１２１から発生する磁力により、図中、上下方向に直線的な往復運動を行う。この可動錘１２２の往復運動の反力として、スプリング１２３がつなげられたケース１１５ａ部分に振動加速度が生じる。なお、スプリング１２３がつなげられたケース１１５ａ部分には、可動錘１２２の往復運動に伴い、この往復運動の反力の他に、可動錘１２２からスプリング１２３を介して伝わる振動成分が加わるが、この振動アクチュエータ１１５における振動発生原理の基本は、可動錘１２２の往復運動の反力として生じた振動加速度を用いることにある。
【００６８】この振動加速度により液晶表示パネル１０３ａと操作キー１０４ａ〜１０４ｃに振動が伝わる。この振動の方向は、タッチパネル１０２の表面に対して垂直となる方向であり、ユーザがタッチパネル１０２や操作キー１０４ａ〜１０４ｃを押す方向およびその反対方向と一致する。これにより、タッチパネル１０２および操作キー１０４ａ〜１０４ｃがタッチパネル１０２の表面に対して垂直となる方向に振動し、操作入力を行っているユーザの指先に振動が伝わる。」（段落【００５８】〜【００６８】）
　　　　　
（イ）「【０１５８】［Ｆ．第６実施形態］本実施形態では、操作入力が受付けられたことを、その操作入力の種類に応じて異なる形態の振動でユーザへ報知する電子機器について説明する。なお、本実施形態においては、上記第１実施形態で説明したＰＤＡ１０を基礎として説明を行う。したがって、第１実施形態と共通する部分については同一の符号を使用するものとする。また、第１実施形態と共通する部分についてはその説明を省略するものとする。」（段落【０１５８】）
　　　
（ウ）「【０１７３】［Ｆ−３．第３例］図４１は、本実施形態の第３例に係るＰＤＡ１０の画面表示例を示す図である。同図に示すように、ＰＤＡ１０の表示画面には、例えば、ＰＤＡ１０の音量レベルや画面の明暗度などのパラメータ値を調整するための「目盛」と「つまみ」が表示されている。ユーザは、画面表示された「つまみ」の位置を、タッチパネル１０２に対するタッチ操作によりドラッグし、変更することができる。
【０１７４】まず、ユーザがタッチパネル１０２に対するタッチ操作により「つまみ」をクリックすると、ＰＤＡ１０のＣＰＵ１１３は、「つまみ」がクリックされたことを特定する。そして、ＣＰＵ１１３は、「つまみ」がクリックされたことを示す振動をユーザへ与える。
【０１７５】次いで、ユーザが指先をタッチパネル１０２に接触させたまま移動させ、「つまみ」を「目盛」に沿ってドラッグしている場合、ＣＰＵ１１３は、「つまみ」がドラッグされていることを特定する。ここで、本実施形態の第３例に係るＰＤＡ１０のメモリ１１２には、図４２に示す波形データテーブル１１２ｃが記憶されている。この波形データテーブル１１２ｃは、このパラメータが取り得る範囲の値を複数に区分し、各区分毎に振動アクチュエータ１１５に印加する駆動信号の波形データを格納している。
【０１７６】ＣＰＵ１１３は、ドラッグされた「つまみ」の位置に従ってパラメータ値を特定し、波形データテーブル１１２ｃから現在のパラメータ値に対応付けられた波形データを読み出して振動アクチュエータ１１５を駆動する。したがって、「つまみ」をドラッグしている間、タッチ操作を行っているユーザの指先やＰＤＡ１０を把持するユーザの手には、パラメータ値に応じた振動が与えられる。
【０１７７】なお、以下に説明するように、駆動信号の波形合成処理を行う構成であってもよい。例えば、パラメータ値が“０”〜“１００”の範囲の数値を取り得る場合に、図４３〜図４５に示すように、パラメータ値が“０”の場合と（図４３）、パラメータ値が“５０”の場合と（図４４）、パラメータ値が“１００”の場合（図４５）の各駆動信号の波形データをメモリ１１２に記憶しておく。ＣＰＵ１１３は、現在のパラメータ値が“４０”の場合は、パラメータ値“０”の波形の割合を“１”、パラメータ値“５０”の波形の割合を“４”として両方の波形を合成する。そして、ＣＰＵ１１３は、この合成波形を駆動信号として振動アクチュエータ１１５に印加する。また、パラメータ値の大きさに比例して駆動信号の振幅のみを変化させ、振動の大きさを変えるようにしてもよい。
【０１７８】以上説明したように本実施形態の第３例によれば、ＣＰＵ１１３は、タッチパネル１０２に対してパラメータ値を変更するタッチ操作を検知した場合に、タッチ操作により変更されたパラメータ値に対応付けられた振動形態で振動アクチュエータ１１５から振動を発生させる。したがって、ＰＤＡ１０は、タッチ操作を受付けたことを報知する振動の形態を、このタッチ操作により変更されたパラメータ値に応じて異ならせることができる。
【０１７９】なお、本実施形態の第３例に係る発明は、パラメータ値を連続的に可変させる操作子（例えば、図７８に例示するスライダスイッチ９９３や、図７９に例示するダイアル型スイッチ９９４など）を有する電子機器に対しても適用可能である。この場合、電子機器の制御部は、操作子が操作されたことを検知した場合に、この操作子の操作により変更されたパラメータ値に対応付けられた振動形態で振動発生器から振動を発生させる。これにより、操作子の操作が電子機器に受付けられたことを報知する振動の形態を、この操作子の操作により変更されたパラメータ値に応じて異ならせることができる。」（段落【０１７３】〜【０１７９】）
　　　
（エ）「【０１８０】［Ｇ．第７実施形態］本実施形態では、タッチパネルに対するタッチ操作の押圧レベルに応じて、タッチ操作が受付けられたことを異なる形態の振動でユーザへ報知する電子機器について説明する。なお、本実施形態においては、上記第１実施形態で説明したＰＤＡ１０を基礎として説明を行う。したがって、第１実施形態と共通する部分については同一の符号を使用するものとする。また、第１実施形態と共通する部分についてはその説明を省略するものとする。
【０１８１】本実施形態においてＰＤＡ１０が有するタッチパネルは、ユーザの指先がタッチパネルに触れている状態（以下、本実施形態では、この操作をタッチ操作と述べる）と、指先が所定の押圧レベル以上の力でタッチパネルを押圧している状態（以下、本実施形態では、押圧操作と述べる）との２つの操作状態を検出することができる。タッチパネルは、タッチ操作の場合と押圧操作の場合とでＣＰＵ１１３に出力するタッチ信号の種類を異ならせる。
【０１８２】また、本実施形態に係るＰＤＡ１０のメモリ１１２には、図４６に示す波形データテーブル１１２ｄが格納されている。この波形データテーブル１１２ｄは、図３２に示したタッチボタンの画面表示例に対応するものである。波形データテーブル１１２ｄには、各タッチボタン毎に、このタッチボタンのエリアデータと、このタッチボタンがタッチ操作された場合および押圧操作された場合に振動アクチュエータ１１５に印加するそれぞれの波形データが格納されている。
【０１８３】このような構成を有するＰＤＡ１０において、タッチパネルに対するタッチ操作が行われると、タッチパネルは、タッチ操作が行われたことを示すタッチ信号をＣＰＵ１１３に出力する。ＣＰＵ１１３は、タッチ信号に基づいてタッチ位置の座標データを求め、波形データテーブル１１２ｄを参照して操作されたタッチボタンを特定する。次いで、ＣＰＵ１１３は、特定したタッチボタンに対応付けられたタッチ操作用の波形データを波形データテーブル１１２ｄから読み出す。そして、ＣＰＵ１１３は、読み出した波形データにより生成される駆動信号を用いて振動アクチュエータ１１５を駆動する。また、タッチパネルに対する押圧操作が行われた場合も同様である。ＣＰＵ１１３は、操作されたタッチボタンに対応付けられた押圧操作用の波形データを波形データテーブル１１２ｄから読み出して振動アクチュエータ１１５を駆動する。
【０１８４】このような構成とすることにより、例えば、ユーザが指先でタッチパネルを押圧せずに触れた状態のまま移動させ、タッチボタンの位置を探っている場合には、ＰＤＡ１０は、指先が触れているタッチボタンの種類に対応付けられたタッチ操作用の振動をユーザに与える。すなわち、タッチボタンの位置をユーザが探している状態においては、例えば、タッチボタンの種類毎に異なる微弱な振動がユーザに与えられる。一方、ユーザが所望のタッチボタンを探り当て、このタッチボタンを押圧操作した場合には、ＰＤＡ１０は、このタッチボタンの種類に対応付けられた押圧操作用の振動をユーザに与える。すなわち、ユーザがタッチボタンを押すと、この操作が受付けられたことを示す振動がユーザに与えられる。
【０１８５】このような振動報知制御は、視覚による操作入力の確認が困難な状況下において特に効果を発揮する。例えば、カーナビゲーション装置などに適用することが有効である。また、一般の電子機器であっても、例えば、深夜に照明を付けない状態で、手探りで操作入力を行うような状況下において効果を奏する。
【０１８６】以上説明したように本実施形態によれば、ＣＰＵ１１３は、タッチパネルに対する操作入力を検知した場合に、タッチ操作の場合と押圧操作の場合とで異なる振動形態で振動アクチュエータ１１５から振動を発生させる。したがって、ＰＤＡ１０は、タッチパネルに対する操作入力のし方に応じて、この操作入力を受付けたことを報知する振動の形態を異ならせることができる。
【０１８７】なお、ユーザの指先がタッチパネルに触れた状態を操作入力として受付けるタッチパネルと、ユーザの指先による所定の押圧レベル以上での押圧を操作入力として受付けるタッチパネルとを重ね合わせて用いてもよい。また、このように重ね合わせるタッチパネルの枚数は、２枚に限定されるものではない。」（段落【０１８０】〜【０１８７】）
    
　以上の記載によれば、この引用例の第６実施形態の第３例に関連して、以下のような発明（以下、「引用発明」という。）が開示されていると認められる。
　　　
「本体ケース１０１の開口部に臨む液晶表示パネル１０３ａの表示画面上に重ねられており、ユーザが指先でタッチすることにより、ＰＤＡ１０に対する操作指令を入力する透明のタッチパネル１０２と、
　ＰＤＡ１０の音量レベルや画面の明暗度などのパラメータ値を調整するための「目盛」と「つまみ」が表示されるＰＤＡ１０の表示画面と、
　タッチパネル１０２をタッチパネル１０２の表面に対して垂直となる方向に振動させ、操作入力を行っているユーザの指先に振動を伝える振動アクチュエータ１１５と、
　ユーザが指先をタッチパネル１０２に接触させたまま移動させ、「つまみ」を「目盛」に沿ってドラッグしている場合、ドラッグされた「つまみ」の位置に従ってパラメータ値を特定し、メモリ１１２に記憶された波形データテーブル１１２ｃから現在のパラメータ値に対応付けられた波形データを読み出し、パラメータ値に対応付けられた振動形態で振動アクチュエータ１１５から振動を発生させるＣＰＵ１１３と、
　を備えることを特徴とするＰＤＡ１０。」
　　
（ｃ）　対　比
　本願補正発明と引用発明とを対比する。
（１）引用発明の「タッチパネル１０２」は、本願補正発明の「入力を受け付けるタッチセンサ」に相当する。
（２）引用発明の「ＰＤＡ１０の音量レベルや画面の明暗度などのパラメータ値を調整するための「目盛」と「つまみ」」は、本願補正発明の「スライドバー」に相当する。
（３）引用発明の「ＰＤＡ１０の表示画面」は、本願補正発明の「表示部」に相当する。
（４）引用発明の「タッチパネル１０２をタッチパネル１０２の表面に対して垂直となる方向に振動させ、操作入力を行っているユーザの指先に振動を伝える振動アクチュエータ１１５」は、本願補正発明の「前記タッチ面を振動させる触感呈示部」に相当する。
（５）引用発明の「つまみ」は、本願補正発明の「スライドバーのノブ」に相当する。
（６）引用発明の「ユーザが指先をタッチパネル１０２に接触させたまま移動させ、「つまみ」を「目盛」に沿ってドラッグしている場合、ドラッグされた「つまみ」の位置に従ってパラメータ値を特定し、メモリ１１２に記憶された波形データテーブル１１２ｃから現在のパラメータ値に対応付けられた波形データを読み出し、パラメータ値に対応付けられた振動形態で振動アクチュエータ１１５から振動を発生させるＣＰＵ１１３」は、本願補正発明の「前記荷重検出部が所定の荷重基準を満たす押圧荷重を検出している状態での前記タッチセンサからの位置情報に基づいて移動する前記スライドバーのノブにおいて、前記ノブの前記所定の荷重基準を満たす状態で移動している位置に応じて、前記タッチ面を押圧している押圧対象に対して触感を呈示するように前記触感呈示部を制御する制御部」と「前記タッチセンサからの位置情報に基づいて移動する前記スライドバーのノブにおいて、前記ノブの移動している位置に応じて、前記タッチ面を操作している操作対象に対して触感を呈示するように前記触感呈示部を制御する制御部」の点で対応するといえる。
（７）引用発明の「ＰＤＡ１０」は、本願補正発明の「入力装置」に相当する。
　　　
　したがって、本願補正発明の用語を用いて表現すると両者は、
「入力を受け付けるタッチセンサと、
　スライドバーを表示する表示部と、
　前記タッチ面を振動させる触感呈示部と、
　前記タッチセンサからの位置情報に基づいて移動する前記スライドバーのノブにおいて、前記ノブの移動している位置に応じて、前記タッチ面を操作している操作対象に対して触感を呈示するように前記触感呈示部を制御する制御部と、
　を備えることを特徴とする入力装置。」
である点で一致するものであり、次の点で相違する。
　　　
（相違点）
　本願補正発明は、タッチセンサのタッチ面に対する押圧荷重を検出する荷重検出部を備え、前記荷重検出部が所定の荷重基準を満たす押圧荷重を検出している状態での前記タッチセンサからの位置情報に基づいて移動するスライドバーのノブにおいて、前記ノブの前記所定の荷重基準を満たす状態で移動している位置に応じて、前記タッチ面を押圧している押圧対象に対して触感を呈示しているのに対し、引用発明は、ユーザが指先をタッチパネル１０２に接触させたまま、つまみを移動、すなわちユーザが該つまみを目盛に沿ってドラッグしている場合、前記タッチパネル１０２のタッチ面に接触している接触対象つまりユーザの指先に対して触感を呈示している点。
　　
（ｄ）当審の判断
　上記相違点について検討する。
　引用例の［Ｇ．第７実施形態］には、ＰＤＡ１０が有するタッチパネルは、指先が所定の押圧レベル以上の力でタッチパネルを押圧している状態（押圧操作）の操作状態を検出することができ、タッチボタンが押圧操作された場合に振動アクチュエータ１１５に印加するそれぞれの波形データが格納され、ＣＰＵ１１３は、読み出した波形データにより生成される駆動信号を用いて振動アクチュエータ１１５を駆動することが記載されており、タッチセンサのタッチ面に対する押圧荷重を検出する荷重検出部を備え、前記所定の荷重基準を満たす状態での位置に応じて、前記タッチ面を押圧している押圧対象に対して触感を呈示することは示唆されている。
　そして、タッチセンサのタッチ面に対する押圧荷重を検出する荷重検出部を備え、前記所定の荷重基準を満たす状態での前記タッチセンサからの位置情報に基づいて移動している位置に応じて、前記タッチ面を押圧している押圧対象に対して触感を呈示することは、本願出願前周知技術（例えば、特開平１１−２１２７２５号公報、段落【０１５２】〜【０１５３】の「図２０はこの発明の情報表示装置として利用可能な他の例を示す図であり、情報表示面２１およびその上に重なった操作面１１の一部を示している。この例ではオーディオ機器のボリュームコントロールつまみ部分を液晶表示パネルに表示し、それを操作者の指で操作させるように構成されている。具体的には、音域ごとのスライド型ボリュームつまみ３０１を表示し、その上に指３０３を置いて押圧力を加えつつ、ボリューム調整ライン３０２に沿って「Ｈ」または「Ｌ」の方向に指３０３を移動させると、このボリュームつまみ３０１の表示がそれにつれて移動しつつ実際の音量が変化する。それとともに、操作面１１が振動することにより操作中であることを操作者に伝える。また、その振動振幅は、その時点において操作しているボリュームつまみ３０１の位置によって変化するようになっている。」の記載、段落【０１５７】の「図２１は図２０と類似の使用例を示す図である。この図２１の例では指３０３は低音量側の押しボタン表示３０４Ｌと、高音量側の押しボタン表示３０４Ｈとを押圧操作できるようになっている。たとえば、高音量側の押しボタン表示３０４Ｈを押圧操作するとスライド表示３０５がボリューム調整ライン３０２に沿って移動して音量が大きくなるとともに、操作面１１の振動振幅も増大する。」の記載、原査定の拒絶の理由に引用された特開２００５−３３２０６３号公報の段落【０１０６】〜【０１１２】の「好ましくは、位置情報と力情報をＣＰＵ３２に与えられる構成の入力デバイスであれば良い。上述の入力検出手段４５’は、操作者の指３０ａを介して少なくとも位置検出信号Ｓ１および入力量（加圧力Ｆ）となる入力検出信号Ｓ２が入力される。表示手段２９’は、入力検出手段４５’によって入力された情報に基づく表示画面を表示するようになされる。表示手段２９’はモニタ機能の他にファインダー等の機能を果たすようになされる。例えば、表示手段２９’はＣＰＵ３２からの制御情報（指令Ｄ）に基づいてズームイン、ズームアウト、再生／早送りモード、ボリューム（Ｖｏｌ）調整モード等のアイコンを表示するようになされる。入力検出手段４５’にはＡ／Ｄドライバ３１が接続され、入力検出手段４５’から出力される位置検出信号Ｓ１（位置情報）および入力検出信号Ｓ２（入力量）を入力してアナログ・デジタル変換をするようになされる。例えば、Ａ／Ｄドライバ３１は、カーソリングと選択機能とを区別するために位置検出信号Ｓ１および入力検出信号Ｓ２をデジタルデータに変換する。これと共に、Ａ／Ｄドライバ３１は、演算を行ってカーソリング入力か選択情報かを検出し、カーソリングか選択かのフラグからなるデータＤ３あるいは位置検出情報Ｄ１及び入力検出情報Ｄ２をＣＰＵ３２に供給する。これらの演算はＣＰＵ３２内で実行してもよい。Ａ／Ｄドライバ３１には、第１の実施例と同様にして、ＣＰＵ３２が接続され、Ａ／Ｄドライバ３１からの位置検出情報Ｄ１及び入力検出情報Ｄ２を受けて指令Ｄを電源ユニット３３、カメラ部３４、その他のデバイス３５、表示手段２９’、スピーカー３６、アクチュエータ駆動部３７等の各デバイスに供給する。例えば、ＣＰＵ３２には、同一振動モード内において、操作者のスライド速度をパラメータにして、アクチュエータ駆動部３７で発生させる正弦波形を加工する機能（アルゴリズム）が備えられる。ＣＰＵ３２は、入力検出手段４５’から得られる（加圧力）情報Ｄ２と予め設定された下限判定閾値Ｆｔｈ１及び上限判定閾値Ｆｔｈ２とを比較し、当該比較結果で加圧力情報が上限判定閾値Ｆｔｈ２を超える場合は、触覚の強さを上昇させるように振動パターンを補正する。・・・中略・・・また、ＣＰＵ３２は入力検出手段４５’によって検出されたスライド速度に基づく振動パターンを演算するようになされる。この例でＣＰＵ３２は、操作者の指３０ａが入力検出面に接触した位置から遠ざかるに従って、入力検出面を低周波数かつ小振幅の振動から、高周波数かつ大振幅の振動を発生するような振動パターンを演算する。」、段落【０２７３】の「このように、第５の実施例に係るゲーム機能付きの携帯電話５００によれば、キャラクタ操作入力画面のＸ方向及びＹ方向に、操作者の指３０ａを摺動する場合であって、キャラクタ操作入力画面における操作者の指３０ａの単位時間当たりの移動量（移動速度）を検出すると共に、押下位置の加圧力Ｆを検出し、操作者の指３０ａの移動速度及び押下位置の加圧力Ｆに基づいて入力検出面を振動及び入力情報を表示制御するようになされる。」の記載参照。）である。
　したがって、上記周知の技術を適用すれば、引用発明をタッチセンサのタッチ面に対する押圧荷重を検出する荷重検出部を備え、前記荷重検出部が所定の荷重基準を満たす押圧荷重を検出している状態での前記タッチセンサからの位置情報に基づいて移動するスライドバーのノブにおいて、前記ノブの前記所定の荷重基準を満たす状態で移動している位置に応じて、前記タッチ面を押圧している押圧対象に対して触感を呈示するようにすることは、当業者が容易になし得ることである。
　　　
　また、本願補正発明の作用効果も、引用発明及び周知技術から、当業者であれば予想できる範囲内のものである。
　　　　
（ｅ）結論
　そうすると、本願補正発明は、引用発明及び周知技術に基づいて当業者が容易に発明をすることができたものであるから、特許法第２９条第２項の規定により、特許出願の際独立して特許を受けることができないものである。
　したがって、本件補正は、特許法第１７条の２第６項において準用する同法第１２６条第５項の規定に違反するので、同法第１５９条第１項において読み替えて準用する同法第５３条第１項の規定により却下すべきものである。
 　
第３　本願発明
　上記のとおり、上記本件補正は却下されたので、本願請求項１に係る発明（以下、「本願発明」という。）は、出願時の特許請求の範囲の請求項１に記載された事項により特定される、以下のとおりのものである。
「入力を受け付けるタッチセンサと、
　前記タッチセンサのタッチ面に対する押圧荷重を検出する荷重検出部と、
　スライドバーを表示する表示部と、
　前記タッチ面を振動させる触感呈示部と、
　前記荷重検出部が所定の荷重基準を満たす押圧荷重を検出している状態で、前記タッチセンサからの位置情報に基づいて移動する前記スライドバーのノブの位置に応じて、前記タッチ面を押圧している押圧対象に対して触感を呈示するように前記触感呈示部を制御する制御部と、
　を備えることを特徴とする入力装置。」
　
第４　引用例
　原査定の拒絶理由に引用された引用例及びその記載事項は、前記「第２　（２）（ｂ）」に記載したとおりである。
　
第５　対比・判断
　本願発明は、前記「第２」で検討した本願補正発明の「前記荷重検出部が所定の荷重基準を満たす押圧荷重を検出している状態での前記タッチセンサからの位置情報に基づいて移動する前記スライドバーのノブにおいて、前記ノブの前記所定の荷重基準を満たす状態で移動している位置に応じて」を、「前記荷重検出部が所定の荷重基準を満たす押圧荷重を検出している状態で、前記タッチセンサからの位置情報に基づいて移動する前記スライドバーのノブの位置に応じて」とするものである。
　そうすると、本願発明の構成要件を全て含み、さらに限定したものに相当する本願補正発明が前記「第２」に記載したとおり、引用発明及び周知技術に基づいて、当業者が容易に発明をすることができたものであるから、本願発明も同様の理由により、引用発明及び周知技術に基づいて、当業者が容易に発明をすることができたものである。
　　
第６　結論
　以上のとおり、本願発明は、引用発明及び周知技術に基づいて当業者が容易に発明をすることができたものであるから、特許法第２９条第２項の規定により、特許を受けることができない。
　したがって、本願は、その余の請求項について論及するまでもなく拒絶すべきものである。
　よって、結論のとおり審決する。